(57)【特許請求の範囲】
【請求項１】
操作を受け付ける入力受付部を有し、前記操作に応じて現金の入出金処理を含む処理を行う処理部と、
前記処理部に電源を供給する電源部と、
前記電源部の電源供給を制御する制御部と、を含み
前記制御部は、前記処理の終了後から第１の判定時間を越えて前記操作を受け付けていない場合に、予め定められた電源遮断時刻が到来すると電源遮断信号を前記電源部に送信し、
前記制御部は、前記処理の終了後から前記第１の判定時間内に前記電源遮断時刻が到来し、前記処理の終了後から前記第１の判定時間に亘って前記操作を受け付けなかった場合に、前記処理の終了後から前記第１の判定時間が経過した後に前記電源遮断信号を前記電源部に送信し、
前記制御部は、前記処理中に前記電源遮断時刻が到来した場合であって、前記処理の終了後から前記第１の判定時間に亘って前記操作を受け付けていない場合に、前記処理の終了後から前記第１の判定時間が経過した後に前記電源遮断信号を電源部に送信し、
前記電源部は前記電源遮断信号を受信すると前記処理部への電源の供給を停止することを特徴とする現金処理装置。
【請求項２】
前記制御部が前記電源遮断信号を送信する前に電源遮断予告を行う告知部をさらに有することを特徴とする請求項１に記載の現金処理装置。
【請求項３】
前記制御部は、前記入力受付部が前記入出金処理の終了後から第２の判定時間に亘って操作を受け付けていない場合に、前記電源部に電力供給量低減信号を送信し、前記電源部は前記電力供給量低減信号を受信すると前記処理部への電力供給量を低減させる供給量低減モードに移行することを特徴とする請求項１または２に記載の現金処理装置。
【請求項４】
前記処理部は、入出金処理の集計を行う精算集計部を有し、前記精算集計部は、前記電源部が前記処理部への電源の供給を停止する際に、入出金処理の集計処理を行うことを特徴とする請求項１乃至３のいずれか１に記載の現金処理装置。
【請求項５】
前記制御部は、予め設定された電源供給開始時刻において、前記電源部に電源供給開始信号を送信して、前記電源部は前記電源供給開始信号を受信すると前記処理部への電源の供給を開始することを特徴とする請求項１乃至４のいずれか１に記載の現金処理装置。
【請求項６】
前記制御部は、前記電源遮断時刻以降であって、前記第１の判定時間の経過前に前記操作を受け付けた場合には、前記第１の判定時間が経過した時点では前記電源遮断信号を送信せず、かつ前記処理部は、当該受け付けた操作に応じた処理を実行することを特徴とする請求項１に記載の現金処理装置。
【請求項７】
前記制御部は、前記前記電源遮断時刻以降であって、前記第１の判定時間の経過前に前記操作を受け付けた場合には、当該受け付けた操作に応じた処理の終了時刻から前記第１の判定時刻に亘って前記操作を受け付けていない場合に電源遮断信号を前記電源部に送信することを特徴とする請求項１に記載の現金処理装置。
【発明の詳細な説明】
【技術分野】
【０００１】
本発明は、現金処理装置に関する。
【背景技術】
【０００２】
銀行等の金融機関の支店または郵便局等には、現金の入出金管理や店舗内の現金在高を管理する現金出納機等の現金処理装置が設置されている。例えば、銀行員や郵便外務員は、出納機を操作して入出金取引処理を行い、当該入出金の結果が現金出納機等の現金処理装置において集計される。
【先行技術文献】
【特許文献】
【０００３】
【特許文献１】特開２０００−９０３２８号公報（段落［００２８］−［００３２］等）
【発明の概要】
【発明が解決しようとする課題】
【０００４】
近年では、例えば、自動取引装置において、無駄な電力消費を抑えるため、電源切替制御のための時間スケジュールを記述したテーブルを設定しておき、運用時に当該スケジュールテーブルを参照して電源供給を断つという制御が行われている（特許文献１）。
【０００５】
このような電源切替制御を行った場合、スケジュールテーブルにおいて電源が遮断されるべきとされている時刻を跨いで取引が行われると、その取引の途中で電源が遮断されたり、取引の終了と共に電源が遮断され、その後に続けて取引を行う必要がある場合に、再度電源を入れ直さなければならない等の問題が一例として挙げられる。
【０００６】
また、スケジュールテーブルに基づいた制御によって電源が遮断された後に、再度電源をオンすると、スケジュールテーブルに基づいた電源遮断動作がなされず、消費電力の削減が効率良く行えなくなるという問題も一例としてあげられる。
【０００７】
本発明は、上述の点に鑑みてなされたものであり、自動的に内部の電源供給の制御を行う現金処理装置において、不都合な電源遮断を防止しつつ、消費電力の削減を達成することが可能な現金処理装置を提供することを目的とする。
【課題を解決するための手段】
【０００８】
本発明の現金処理装置は、操作を受け付ける入力受付部を有し、当該操作に応じて現金の入出金処理を含む処理を行う処理部と、当該処理部に電源を供給する電源部と、当該電源部の電源供給を制御する制御部と、を含み、当該制御部は、当該処理の終了後から第１の判定時間を越えて当該操作を受け付けていない場合に、予め定められた電源遮断時刻が到来すると電源遮断信号を当該電源部に送信し、当該制御部は、当該処理の終了後から当該第１の判定時間内に当該電源遮断時刻が到来し、当該処理の終了後から当該第１の判定時間に亘って当該操作を受け付けなかった場合に、当該処理の終了後から当該第１の判定時間が経過した後に当該電源遮断信号を当該電源部に送信し、当該制御部は、当該処理中に当該電源遮断時刻が到来した場合であって、当該処理の終了後から当該第１の判定時間に亘って当該操作を受け付けていない場合に、当該処理の終了後から当該第１の判定時間が経過した後に当該電源遮断信号を電源部に送信し、当該電源部は当該電源遮断信号を受信すると当該処理部への電源の供給を停止することを特徴とする。
【図面の簡単な説明】
【０００９】
【図１】本発明の実施例である現金出納機の構成を示す構成図である。
【図２】図１の現金出納機の制御部による主な機能を示すブロック図である。
【図３】本発明の実施例１の現金出納機における電源管理ルーチンである。
【図４】本発明の実施例１の現金出納機の電源管理パターンの例を示す図である。
【図５】本発明の実施例２の現金出納機における電源管理ルーチンである。
【図６】実施例２の現金出納機の画面表示の一例である。
【図７】変形実施例の現金出納機における電源管理ルーチンである。
【発明を実施するための形態】
【００１０】
以下に、本発明の現金処理装置を、銀行の支店または郵便局に設置される現金出納機を例に説明する。
【実施例１】
【００１１】
以下に、本発明の実施例１の現金出納機及びその電源管理ルーチンについて添付の図面を参照しつつ説明する。
［現金出納機の内部構成］
図１は、実施例１の現金出納機１０の内部構成を示す構成図である。紙幣投入出金口１１は、売上入金の際に、紙幣が投入される投入口である。また、紙幣投入出金口１１は、売上入金の取り消しが行なわれたときに返却される紙幣、出金する出金紙幣、リジェクトされた入金リジェクト紙幣が出金（排出）される出金口ともなる。
【００１２】
紙幣一時保留部１２は、紙幣投入出金口１１から取り込まれた紙幣または紙幣投入出金口１１へ排出される紙幣が一時的に集積、滞留される領域である。紙幣一時保留部１２には、例えば、入金紙幣計数時又は売上金作成時に、一時的に紙幣を集積、滞留させることができる。
【００１３】
リサイクルカセット１３〜１５は、紙幣投入出金口１１から投入された紙幣を収納する収納庫である。例えば、図１では、リサイクルカセット１３が万券カセットであり、リサイクルカセット１４が５千券カセットであり、リサイクルカセット１５が千券カセットである場合を示す。また、紙幣投入出金口１１から紙幣が出金される場合、リサイクルカセット１３−１５に収納されている紙幣が、紙幣投入出金口１１に搬送されて出金される。なお、リサイクルカセット１３−１５は、通常時には施錠されており、収納されている紙幣の抜き取りが防止される。
【００１４】
精査カセット１６は、紙幣の精査処理を自動で行う場合に、紙幣を一時的に退避させるカセットである。精査処理とは、入金処理時や出金処理時に搬送異常が発生した場合に、リサイクルカセット１３−１５に収納されている紙幣の金種と枚数とを確定させる処理である。具体的には、精査処理は、リサイクルカセット１３−１５の各々に収納されている紙幣を全て、一旦、繰り出して、紙幣の識別及び計数をし、その後、その紙幣を再び、収納部に戻すことで行う。
【００１５】
紙幣鑑別部１７は、現金出納機１０内を搬送される紙幣が正券・偽券であるか、紙幣が損券であるか、紙幣が表面・裏面であるか等の紙幣の状態を鑑別するものである。紙幣識別部１７は、例えば、入金時に紙幣一時保留部１２からリサイクルカセット１３−１５に紙幣が搬送されるとき、出金時にリサイクルカセット１３−１５から紙幣一時保留部１２に紙幣が搬送されるとき、精査処理においてリサイクルカセット１３−１５から精査カセット１６に紙幣が搬送されるときに、当該搬送される紙幣を鑑別する。
【００１６】
入金時において、紙幣鑑別部１７による鑑別結果に応じて、正券の紙幣はリサイクルカセット１３−１５に搬送される。また、紙幣鑑別部１７により損券等であると判断された紙幣は、後述するリジェクト部１８に搬送される。
【００１７】
リジェクト部１８は、紙幣鑑別部１７により偽券、損券等と鑑別されたリジェクト紙幣を収納するものである。リジェクト部１８は、例えば、売上入金時に紙幣一時保留部１２からリサイクルカセット１３−１５に搬送される際に鑑別されたリジェクト紙幣、リサイクルカセット１３−１５から出金する際の搬送時に鑑別されたリジェクト紙幣、精査処理においてリサイクルカセット１３−１５から精査カセット１６に搬送される際に鑑別されたリジェクト紙幣を集積する。
【００１８】
硬貨投入口１９は、入金時に入金される硬貨が投入される投入口である。
【００１９】
硬貨鑑別部２０は、硬貨投入口１９から投入された硬貨が正常貨か否か鑑別するものである。
【００２０】
硬貨一時保留部２１は、入金計数時に、投入された硬貨を一時的に集積、滞留させる領域である。
【００２１】
硬貨返却箱２２は、売上入金の取り消しが行なわれたときに、返却される硬貨を収納するものである。
【００２２】
出金ホッパ２３は、入金時に硬貨鑑別部２０によって正常貨と鑑別された硬貨を収納しておく領域である。また、出金時には、出金ホッパ２３から硬貨出金箱２５に硬貨が搬送されて出金される。出金ホッパ２３は、通常時には施錠されている。
【００２３】
硬貨回収庫２４は、売上回収カセットであり、精算集計時に、出金ホッパ２３から搬送され、売上金とされる硬貨を収納するものである。なお、硬貨回収庫２４は、通常時には施錠されており、硬貨回収の際に開錠されるようになっている。
【００２４】
硬貨出金箱２５は、出金の際に、出金ホッパ２３から搬送されて出金される硬貨の出金口である。
【００２５】
カードリーダ部２６は、取引開始時に、職員のＩＤカード等の記録媒体に格納されている情報を読み取るものである。カードリーダ部２６は、例えば、ＩＤカードの記録媒体に記録されている職員識別情報（例えば、氏名、ＩＤ等の識別情報）等の情報を読み取る。なお、カードリーダ部２６は、磁気カード、ＩＣカード等様々な媒体から職員識別情報等の情報を読取可能であってもよい。
【００２６】
入力受付部としての操作表示部２７は、取引の際に、レジ担当者や管理者等の操作を受け付ける操作手段、現金出納機の状態等を表示する表示手段である。操作表示部２７は、例えば、ＬＣＤ（Liquid Crystal Display）、タッチパネル、テンキー等から構成されているものである。
【００２７】
以下の説明では、紙幣投入出金口１１、紙幣一時保留部１２、リサイクルカセット１３−１５、精査カセット１６、紙幣鑑別部１７、リジェクト部１８、硬貨投入口１９、硬貨鑑別部２０、硬貨一時保留部２１、硬貨返却箱２２、出金ホッパ２３、硬貨回収箱２４、硬貨出金箱２５、カードリーダ部２６及び操作表示部２７、並びに紙幣及び硬貨の搬送部（図示せず）を処理部Ｐ（図中破線で囲んだ部分）とする。
【００２８】
処理制御部２８は、現金出納機１０の機能を実行する処理部又は装置である。処理制御部２８は、例えば、ＣＰＵ、記憶部（例えば、ＲＯＭ、ＲＡＭ、ＥＥＰＲＯＭ等）、入出力インタフェース部等を有する回路で構成されるものであり、いわゆるソフトウェア処理により、各種機能が実現される。
【００２９】
電源部２９は、外部からの電源（ＶＤ）の供給を受けて、上記処理部Ｐの各部分への駆動電源（ＶＧ）を供給する部分である。例えば、電源部２９は、処理制御部２８からの電源制御信号に応じて現金出納機１０の処理部Ｐの各部分への電源の供給を行う。
［処理制御部の構成］
図２は、処理制御部２８による主な機能を示すブロック図である。認証部２０１は、カードリーダ部２６又は操作表示部２７からの情報に基づいて、管理者や担当者の認証処理を行なうものである。認証部２０１による認証処理方法は、特に限定されるものではなく、種々の方法を適用することができる。
【００３０】
例えば、認証部２０１は、管理者識別情報や担当者識別情報を登録情報として保持しておき、カードリーダ部２６からの担当者の識別情報等が登録情報と一致するか否かを判断したり、操作表示部２７を介して入力されたパスワード等が登録情報と一致するか否かを判断したりすることが可能であってもよい。
【００３１】
また、例えば、売上入金取引、出金取引等のような取引の種類に応じて、認証部２０１が行う認証方法を変えることにしてもよい。例えば、セキュリティを高くする必要がある取引の際の認証においては、操作者の識別情報及び特定の暗証番号を認証する等の方法で認証を行うことにしてもよい。
【００３２】
入出金記憶部２０２は、入金及び出金に関する各種データを保持するものである。例えば、入出金記憶部２０２は、入金額及び出金額のデータを保持する。また、入出金記憶部２０２は、出金時の金種及び枚数等の出金パターンを保持していてもよい。
【００３３】
出金取引部２０３は、出金取引に関する処理を行なうものである。出金取引部２０３は、入出金記憶部２０２に事前に登録された金種及び枚数の出金パターンに基づいて出金したり、又は、操作者により指定された任意の金種及び枚数に基づいて出金したりする。
【００３４】
例えば、出金取引部２０３は、カードリーダ部２６により読み込まれた情報に基づく認証部２０１による認証が成功すると、操作表示部２７にメニュー画面を表示させる。そして、メニュー画面から「出金」ボタン（図示せず）が選択されると、その後の操作に従って、出金取引部２０３は、搬送機構（図示せず）に、リサイクルカセット１３−１５または出金ホッパ２３から紙幣投入出金口１１または硬貨出金箱２５へ紙幣及び硬貨を搬送させて出金動作を行わせる。
【００３５】
また、出金取引部２０３は、出金した日時の情報である出金日時情報、担当者識別情報（例えば、氏名、ＩＤ等）、出金した金種及び枚数、出金金額等を対応付けて、入出金記憶部２０２に記憶させる。
【００３６】
入金取引部２０４は、入金取引に関する処理を行なうものである。入金取引部２０４は、例えば、認証部２０１による認証の成功後、操作表示部２７によって現金の入金を誘導する。入金取引部２０４は入金処理が行われた日時の情報である入金日時情報、担当者識別情報、入金された金種及び枚数、並びに入金金額等を対応付けて、入出金記憶部２０２に記憶させる。
【００３７】
例えば、入金取引部２０４は、操作表示部２７に表示されたメニュー画面から「売上入金」ボタン（図示せず）が選択されると、操作表示部２７に紙幣及び硬貨の入金誘導画面を表示させる。紙幣及び硬貨（売上金）が紙幣投入出金口１１または硬貨投入口１９にセットされると、入金取引部２０４は、紙幣及び硬貨の搬送及び計数を開始させる。
【００３８】
紙幣及び硬貨の計数において、紙幣鑑別部１３及び硬貨鑑別部２０が正常と判別した紙幣及び硬貨は、紙幣一時保留部１２及び硬貨一時保留部２１に集積される。そして、正常と判別された紙幣及び硬貨の金額を、操作表示部２７に表示させる。
【００３９】
例えば、操作表示部２７を介して、担当者によって当該入金された金額の確認をした旨の入力が行われた後に、紙幣一時保留部１２及び硬貨一時保留部２１の紙幣及び硬貨が、リサイクルカセット１３−１５及び出金ホッパ２３に収納される。
【００４０】
一方、例えば、計数において紙幣鑑別部１３によってリジェクトされた（偽券または損券等と判定された）紙幣、いわゆるリジェクト紙幣は紙幣投入出金口１１から返却される。また、硬貨鑑別部２０によってリジェクトされた（偽硬貨等と判定された）硬貨、いわゆるリジェクト硬貨は硬貨返却箱２２から返却される。
【００４１】
補充取引部２０５は、出金用の現金を補充するために、紙幣投入出金口１１及び硬貨投入口１９から投入された紙幣及び硬貨を、リサイクルカセット１３−１５及び出金ホッパ２３に補充する補充取引に関する処理を処理部に行わせる。補充取引部２０５は、補充処理が行われた日時の情報である補充日時情報、補充された金種及び枚数、並びに補充金額を入出金記憶部２０２に記憶させる。
【００４２】
抜き取り取引部２０６は、入金過多となったときに、リサイクルカセット１３−１５及び出金ホッパ２３に収納されている紙幣、硬貨を出金する抜き取り取引に関する処理を処理部に行わせるものである。抜き取り取引部２０６は、抜き取り取引を行った日時の情報である抜取日時情報、抜き取った金種及び枚数、並びに抜き取り金額等を、入出金記憶部２０２に記憶させる。
【００４３】
精算集計部としての締上げ取引部２０７は、出金取引情報及び入金取引情報を集計して、売上金の額を計上する精算集計取引に関する処理を行なうものである。
【００４４】
例えば、締上げ取引部２０７は、操作表示部２７に表示されるメニュー画面から「精算集計」ボタン（図示せず）が選択されると、それまでの出金及び入金取引を集計し、売上額を算出（入金合計−出金合計）する。なお、締上げ取引部２０７は、現金出納機１０の電源がオフになる際にそれまでの出金及び入金取引を集計し、売上額を算出（入金合計−出金合計）してもよい。
【００４５】
回収取引部２０８は、リサイクルカセット１３−１５及び硬貨回収庫２４に収納された紙幣、硬貨の回収取引に関する処理を行なうものである。例えば、回収取引部２０８は、操作表示部２７に表示されたメニュー画面から「売上回収」ボタンが選択されると、リサイクルカセット１３−１５、及び硬貨回収庫２４を解錠する。
【００４６】
その後、操作表示部２７に、リサイクルカセット１３−１５及び硬貨回収庫２４の脱着に関する誘導を表示させる。リサイクルカセット１３−１５及び硬貨回収庫２４が取り外されて売上金が回収され、その後、空のリサイクルカセット１３−１５及び硬貨回収庫２４が取り付けられてセットが完了したところで取引終了となる。
【００４７】
なお、回収取引時に紙幣をリサイクルカセット１３−１５から精査カセット１６または回収カセット（図示せず）に搬送し、当該精査カセット１６または回収カセットを解錠することとしてもよい。この場合、精査カセット１６または回収カセット並びに硬貨回収庫２４が取り外されて売上金が回収され、その後、空の精査カセット１６または回収カセット並びに硬貨回収庫２４が取り付けられてセットが完了したところで取引終了となる。
【００４８】
電源制御部２０９は、電源部２９によって行われる現金出納機１０の処理部Ｐの各部分への電力供給を制御するものである。電源制御部２０９は、現金出納機１０の電源スイッチ（図示せず）への電源投入操作に応じて、電源部２９に処理部Ｐの各部分への電力供給を開始させ、電源遮断（オフ）操作に応じて、電源部２９に処理部Ｐの各部分への電力供給を停止させる。また、電源制御部２０９は、時計機能及びタイマー機能を有しており、予め設定された時刻に基づいて電源部２９による電力供給を制御する。
【００４９】
電源制御部２０９は、例えば、電源遮断時刻が予め設定されている場合には、当該電源遮断時刻の到来に応じて電源部２９に電源遮断信号を送信し、電源部２９に電源供給を停止させる。電源遮断時刻が到来した際に、現金出納機１０による取引処理が行われている場合、または取引処理の終了から一定時間が経過していない待機状態である場合には、当該電源供給を停止させる電源遮断信号は、最後の取引処理の終了後一定時間が経過した際に送信される。
［電源管理ルーチン］
図３は、電源制御部２０９において、予め設定された電源遮断時刻に基づいて実行される電源管理ルーチン３０を示した図である。電源制御部２０９は、例えば、現金出納機１０の電源スイッチへの電源投入操作が行われると、電源管理ルーチン３０を繰り返し実行する。
【００５０】
まず、予め設定された自動で電源供給を停止すべき電源遮断時刻（以下、本実施例において、自動電源オフ設定時刻という）を読み込む（ステップＳ１）。自動電源オフ設定時刻は、操作表示部２７に表示されるメニュー画面を操作することで予め入力されていてもよい。また、自動電源オフ設定時刻は、工場出荷時にデフォルトの設定として既に入力されていてもよい。
【００５１】
次に、現在の時刻が自動電源オフ設定時刻以降か否かを判定する（ステップＳ２）。この判定は、例えば、電源制御部２０９の内部の時計機能から得られた時刻と自動電源オフ設定時刻とを比較することで行われる。現在の時刻が自動電源オフ設定時刻より前であると判定された場合（ステップＳ２：ＮＯ）、その後ルーチンは終了する。
【００５２】
現在の時刻が自動電源オフ設定時刻以降であると判定された場合（ステップＳ２：ＹＥＳ）、次に現在取引処理が行われているか否かが判定される（ステップＳ３）。例えば、取引中か否かの判定は、操作者による操作を受け付けた後、処理制御部２８の各取引部２０３−２０８の制御下で行われる取引処理が終了する前か否かで判定される。
【００５３】
操作者による操作の受け付けとは、例えば、カードリーダ部２６にＩＣカードをかざす等の認証操作の受け付けまたは操作表示部２７への入力の受け付け等である。取引中であると判定された場合（ステップＳ３：ＹＥＳ）、その後ルーチンは終了する。
【００５４】
ステップＳ３において、取引中ではないと判定された場合（ステップＳ３：ＮＯ）、次に最後に行われた取引処理の終了の時刻から、操作者による操作を受け付けずに予め設定された第１の判定時間としての所定の待機時間が経過したか否か、すなわち待機状態が終了したか否かが判定される（ステップＳ４）。
【００５５】
なお、当該待機時間は、操作表示部２７に表示されるメニュー画面を操作することで予め入力されていてもよい。また、待機時間は、工場出荷時にデフォルトの設定として既に入力されていてもよい。最後に行われた取引処理の終了の時刻から所定の待機時間が経過していない、すなわち待機状態であると判定された場合（ステップＳ４：ＮＯ）、その後ルーチンは終了する。
【００５６】
ステップＳ４において、最後に行われた取引処理の終了時刻から所定の待機時間が経過した、すなわち待機状態が終了したと判定された場合（ステップＳ４：ＹＥＳ）、次に、電源部２９に向けて電源遮断信号が送信され（ステップＳ５）、ルーチンが終了する。電源部２９はこの電源遮断信号を受信すると、現金出納機１０の処理部Ｐの各部への電源供給を停止する。
【００５７】
なお、電源制御部２０９の電源遮断信号の送信に応じて締上げ取引部２０７が精算集計処理を行うこととしてもよい。この場合、例えば、電源部２９は、締上げ取引部２０７の精算集計処理の終了を待って、電源供給の停止を行う。また、電源部２９は、電源供給を停止した後であっても、現金出納機１０の各部に最低限必要な電力を供給することとしてもよい。
【００５８】
図４は、電源制御部２０９において、上記ルーチン３０が実行される場合における電源自動遮断動作の例示の４つのパターンである。以下の説明において、待機時間をＴ１、取引中及び待機時間以外を電源ＯＮ運用中として図示して説明する。
【００５９】
図４（ａ）のパターンでは、取引処理の終了後、待機時間Ｔ１が経過し待機状態から脱した後に自動電源オフ設定時刻が到来する。この場合、自動電源オフ設定時刻に電源制御部２０９から電源部２９に電源遮断信号が送信され、処理部Ｐへの電源の供給が停止（オフ）される。
【００６０】
図４（ｂ）のパターンは、自動電源オフ設定時刻において、最後の取引処理終了後の待機時間Ｔ１が経過していない、すなわち待機状態であるパターンである。図４（ｂ）のパターンでは、待機状態中に自動電源オフ設定時刻が到来する。この場合、電源制御部２０９からの電源遮断信号は、自動電源オフ設定時刻ではなく、最後の取引処理終了後の待機時間Ｔ１が経過した後、すなわち当該待機状態から脱した際に電源部２９に送信され、現金出納機１０の電源がオフされる。
【００６１】
図４（ｃ）のパターンは、自動電源オフ設定時刻において、最後の取引処理中であるパターンである。図４（ｃ）のパターンでは、電源制御部２０９からの電源遮断信号は、自動電源オフ設定時刻ではなく、最後の取引処理終了後の待機時間Ｔ１が経過した後、すなわち待機状態から脱した際に電源部２９に送信され、現金出納機１０の電源がオフされる。
【００６２】
図４（ｄ）のパターンは、自動電源オフ設定時刻において、取引処理中であり、その後の待機状態中にさらに取引処理が開始されるパターンである。図４（ｄ）のパターンでは、自動電源オフ設定時刻の後の待機状態中に取引処理が開始される。すなわち、自動電源オフ設定時刻の後に取引処理が終了し、その終了後待機時間Ｔ１の経過前に取引処理が開始される。
【００６３】
この場合、実際の電源オフ時刻は図４（ｃ）のパターンよりさらに繰り延べられ、最後の取引処理後の待機状態が終了するまで、電源はオフされない。最後のさらなる取引処理が終了し、待機時間Ｔ１が経過した後、すなわち待機状態が終了すると電源制御部２０９から電源部２９に電源遮断信号が送信され、現金出納機１０の電源がオフされる。
【００６４】
このように、実施例１の現金出納機１０によれば、取引処理中に自動電源オフ設定時刻が到来しても、当該取引処理後、さらに待機時間が経過した後でなければ電源はオフされない。また、取引処理後の待機状態中に自動電源オフ設定時刻が到来しても、当該待機状態が終了するまで電源はオフされない。
【００６５】
このように、実施例１の現金出納機１０によれば、取引処理中に自動電源オフ設定時刻が到来しても、最後の取引処理後の待機時間が経過するまで実際の電源オフ時刻を繰り延べられる。すなわち、例えば、当日付で行いたい取引の終了まで電源オフ時間を自動で繰り延べることが可能である。従って、自動電源オフ設定時刻中に取引処理が行われており、さらに続けて取引を行いたい場合に、再度の電源オン操作を行う手間を省略することができる。
【００６６】
また、実施例１の現金出納機１０によれば、自動の電源オフ後に取引処理を行うために電源を再度投入すること、すなわち自動の電源オフ機能が機能しない状態での再度の電源投入を防止することができる。従って、自動の電源オフを確実に行うことができ、消費電力の削減を確実にかつ効率的に行うことが可能である。
【００６７】
また、上述のように、実施例１の現金出納機１０によれば、当日付で行いたい取引の終了まで電源オフ時間を自動で繰り延べることが可能である。よって、例えば、締上げ取引部２０７が現金出納機１０の電源オフと連動して一日の売上金の額を計上する精算集計取引処理を行なう場合に、当該精算集計取引処理を、混乱を生じずに正確に行うことが可能である。
【００６８】
すなわち、自動の電源オフに応じて精算集計取引処理が行われた後に、再度電源をオンしてオフすることにより、同日の精算集計取引処理が２回に分割され、混乱が発生することを防止し、精算集計取引を正確に行うことが可能である。
【実施例２】
【００６９】
以下に、本発明の実施例２の現金出納機及びその電源管理ルーチンについて添付の図面を参照しつつ説明する。なお、実施例２の現金出納機１０は、実施例１の現金出納機１０と電源制御部２０９の機能が異なる以外、同様の構成を有している。従って、実施例２の現金出納機１０の内部構成については、電源制御部２０９以外の構成については説明を省略する。
【００７０】
実施例２の現金出納機１０において、電源制御部２０９は、実施例１と同様に、電源部２９によって行われる現金出納機１０の処理部Ｐの各部分への電源供給を制御するものである。電源制御部２０９は、現金出納機１０の電源スイッチ（図示せず）への電源投入操作に応じて、電源部２９に電源供給を開始させ、電源遮断操作に応じて、電源部２９に電源供給を停止させる。また、電源制御部２０９は、時計機能及びタイマー機能を有しており、予め設定された時刻に基づいて電源部２９による電源供給を制御する。
【００７１】
例えば、自動電源遮断時刻が予め設定されている場合には、当該自動電源遮断時刻の到来に応じて電源部２９に電源遮断信号を送信し、電源部２９に電源供給を停止させる。電源遮断時刻が到来した際に、現金出納機１０による取引処理が行われている場合、または取引処理の終了から一定時間が経過していない待機中である場合には、当該電源供給を停止させる電源遮断信号は、最後の取引処理の終了後一定時間が経過した際に送信される。
【００７２】
また、電源制御部２０９は、電源制御部２０９が電源遮断信号を送信する時刻が近づいた場合に、電源遮断信号を送信するまでの時間を操作表示部２７に表示する。具体的には、例えば、取引処理の終了後の待機時間の終了予定時刻が、自動電源遮断時刻よりも後の時刻である場合に、待機時間の終了予定時刻、すなわち電源遮断信号の送信予定時刻までの残り時間を表示する。
［電源管理ルーチン］
図５は、電源制御部２０９において、予め設定された電源遮断時刻に基づいて実行される電源管理ルーチン５０を示した図である。電源制御部２０９は、例えば、現金出納機１０の電源スイッチへの電源投入操作が行われると、電源管理ルーチン５０を繰り返し実行する。
【００７３】
まず、予め設定された自動で電源の供給を停止すべき電源遮断時刻（以下、本実施例において、自動電源オフ設定時刻という）を読み込む（ステップＳ１）。自動電源オフ設定時刻は、操作表示部２７に表示されるメニュー画面を操作することで予め入力されていてもよい。また、自動電源オフ設定時刻は、工場出荷時にデフォルトの設定として既に入力されていてもよい。
【００７４】
次に、現在の時刻が自動電源オフ設定時刻以降か否かを判定する（ステップＳ２）。この判定は、例えば、電源制御部２０９の内部の時計機能から得られた時刻と自動電源オフ設定時刻とを比較することで行われる。現在の時刻が自動電源オフ設定時刻より前であると判定された場合（ステップＳ２：ＮＯ）、その後ルーチンは終了する。
【００７５】
現在の時刻が自動電源オフ設定時刻以降であると判定された場合（ステップＳ２：ＹＥＳ）、次に現在取引処理が行われているかが判定される（ステップＳ３）。例えば、取引中か否かの判定は、操作者による操作を受け付けた後、処理制御部２８の各取引部２０３−２０８において取引処理が終了する前か否かで判定される。
【００７６】
操作者による操作の受け付けとは、例えば、カードリーダ部２６にＩＣカードをかざす等の認証操作の受け付けまたは操作表示部２７への入力の受け付け等である。取引中であると判定された場合（ステップＳ３：ＹＥＳ）、その後ルーチンは終了する。
【００７７】
ステップＳ３において、取引中ではないと判定された場合（ステップＳ３：ＮＯ）、次に最後に行われた取引処理の終了の時刻から、操作者による操作を受け付けずに予め設定された第１の判定時間としての所定の待機時間が経過したか否か、すなわち待機状態であるか否かが判定される（ステップＳ４）。
【００７８】
なお、当該待機時間は、操作表示部２７に表示されるメニュー画面を操作することで予め入力されていてもよい。また、待機時間は、工場出荷時にデフォルトの設定として既に入力されていてもよい。
【００７９】
ステップＳ４において、最後に行われた取引処理の終了時刻から所定の待機時間が経過した、すなわち待機状態が終了したと判定された場合（ステップＳ４：ＹＥＳ）、次に、電源部２９に向けて電源遮断信号が送信され（ステップＳ５）、ルーチンが終了する。電源部２９はこの電源遮断信号を受信すると、現金出納機１０の処理部Ｐの各部への電源供給を停止する。
【００８０】
なお、電源制御部２０９の電源遮断信号の送信に応じて締上げ取引部２０７が精算集計処理を行うこととしてもよい。この場合、例えば、電源部２９は、締上げ取引部２０７の精算集計処理の終了を待って、電源供給の停止を行う。また、電源部２９は、電源供給を停止した後であっても、現金出納機１０の処理部Ｐの各部に最低限必要な電力を供給することとしてもよい。
【００８１】
ステップＳ４において最後に行われた取引処理の終了の時刻から所定の待機時間が経過していない、すなわち待機状態であると判定された場合（ステップＳ４：ＮＯ）、処理はステップＳ６に進む。ステップＳ６において、電源制御部２０９は、操作表示部２７に電源オフまでの時間、すなわち電源部２９に電源遮断信号を送信するまでの時間を表示させて操作者に告知する。換言すれば、電源制御部２０９は、操作者に電源遮断（電源供給の停止）の予告を行う。
【００８２】
図６に、ステップＳ６において表示される画面の一例を示す。画面６０では、上部破線６１内において電源オフまでの時間が表示される。なお、図６に示すように、電源オフまでの時間を表示した上で「ＩＤカードをかざして下さい」等、カードリーダ部２６に対して認証操作を行って取引処理を開始させることを促すこととしてもよい。ステップＳ６の終了後、ルーチンが終了する
このように、実施例２の現金出納機１０によれば、取引処理中に自動電源オフ設定時刻が到来しても、最後の取引処理後の待機時間が経過するまで実際の電源オフ時刻を繰り延べられる。すなわち、例えば、当日付で行いたい取引の終了まで電源オフ時間を自動で繰り延べることが可能である。従って、自動電源オフ設定時刻中に取引処理が行われており、さらに続けて取引を行いたい場合に、再度の電源オン操作を行う手間を省略することができる。
【００８３】
また、実施例２の現金出納機１０によれば、自動の電源オフ後に取引処理を行うために電源を再度投入すること、すなわち自動の電源オフ機能が機能しない状態での再度の電源投入を防止することができる。従って、自動の電源オフを確実に行うことができ、消費電力の削減を確実にかつ効率的に行うことが可能である。
【００８４】
また、上述のように、実施例２の現金出納機１０によれば、当日付で行いたい取引の終了まで電源オフ時間を自動で繰り延べることが可能である。よって、例えば、締上げ取引部２０７が現金出納機１０の電源オフと連動して一日の売上金の額を計上する精算集計取引処理を行なう場合に、当該精算集計取引処理を、混乱を生じずに正確に行うことが可能である。
【００８５】
すなわち、自動の電源オフに応じて精算集計取引処理が行われた後に、再度電源をオンしてオフすることにより、同日の精算集計取引処理が２回に分割され、混乱が発生することを防止し、精算集計取引を正確に行うことが可能である。
【００８６】
また、実施例２の現金出納機１０によれば、上述のように、電源制御部２０９は、電源遮断信号を送信する時刻が近づいた場合に、電源遮断信号を送信するまでの時間を操作表示部２７に表示する。具体的には、例えば、取引処理の終了後の待機時間の終了予定時刻が、自動電源遮断時刻よりも後の時刻である場合に、待機時間の終了予定時刻、すなわち電源遮断信号の送信予定時刻までの残り時間を表示する。
【００８７】
これの表示により、現金出納機１０を操作する取引担当者等の操作者が、自動電源オフまでの時間を把握することができる。従って、操作者の操作遅延により意図に反して現金出納機１０の電源が自動にオフになってしまうことを防止することが可能である。
【００８８】
例えば、取引処理を行いたい操作者は、上記残り時間が少ない場合に、取り敢えずまずカードリーダ部２６にＩＤカードを認識させる操作を行うことで、取引操作及び処理を開始することで、意図に反した現金出納機１０の自動電源オフを防止することが可能である。
［変形実施例］
上記実施例の現金出納機１０において、各取引処理の終了後、一定時間操作を受け付けなかった場合に、例えば、電源部２９が現金出納機１０の処理部Ｐの各部分への電力供給量を低減させる電力供給量低減モードとしての省電力モードに移行することとしてもよい。省電力モードは、例えば、電源制御部２０９が電源部２９に電力供給量低減信号としての省電力モード移行信号を送信することで開始されてもよい。
【００８９】
省電力モードにおいては、例えば、操作表示部２７のＬＣＤ等のバックライトを消灯させたり、例えば紙幣または硬貨搬送装置等の機械駆動系装置への電源供給を遮断したりしてもよい。また、現金出納機１０の処理部Ｐの各部の電力供給量を減少させたり、特定の部分への電源供給を停止させたりすることとしてもよい。
【００９０】
また、省電力モードからの復帰は、例えば、カードリーダ部２６への認証操作を受け付けた際または操作表示部２７への入力を受け付けた際に、電源部２９に復帰信号を送信することで、に行われてもよい。
［電源管理ルーチン］
図７に省電力モードを有する現金出納機１０の電源制御部２０９が実行する電源管理ルーチン７０の一例を示す。電源制御部２０９は、例えば、現金出納機１０の電源スイッチへの電源投入操作が行われると、電源管理ルーチン７０を繰り返し実行する。なお、電源管理ルーチン７０は、上記実施例２における電源管理ルーチンと同様に、自動電源オフまでの時間を告知する、操作者に電源遮断の予告を行う処理を含んでいる（実施例２の図５のステップＳ６参照）。
【００９１】
まず、予め設定された自動で電源の供給を停止すべき電源遮断時刻（以下、自動電源オフ設定時刻という）を読み込む（ステップＳ１）。自動電源オフ設定時刻は、操作表示部２７に表示されるメニュー画面を操作することで予め入力されていてもよい。また、自動電源オフ設定時刻は、工場出荷時にデフォルトの設定として既に入力されていてもよい。
【００９２】
次に、現在の時刻が自動電源オフ設定時刻以降か否かを判定する（ステップＳ２）。この判定は、例えば、電源制御部２０９の内部の時計機能から得られた時刻と自動電源オフ設定時刻とを比較することで行われる。現在の時刻が自動電源オフ設定時刻より前であった場合（ステップＳ２：ＮＯ），処理はステップＳ３に進む。
【００９３】
ステップＳ３において、最後に行われた取引処理の終了の時刻から、操作者による操作受け付けずに、予め設定された第２の判定時間としての待機時間すなわち省電力モードへの移行待機時間（以下、移行待機時間という）が経過したか否かが判定される。
【００９４】
操作者による操作の受け付けとは、例えば、カードリーダ部２６への認証操作の受け付けまたは操作表示部２７への入力の受け付け等である。また、当該移行待機時間は、操作表示部２７に表示されるメニュー画面を操作することで予め入力されていてもよい。また、移行待機時間は、工場出荷時にデフォルトの設定として既に入力されていてもよい。
【００９５】
ステップＳ３において移行待機時間が経過したと判定された場合（ステップＳ３：ＹＥＳ）、電源制御部２０９は電源部２９に省電力モード移行信号を送信し、電源部２９ひいては現金出納機１０が省電力モードに移行し（ステップＳ４）、その後ルーチンは終了する。
【００９６】
ステップＳ３において、移行待機時間が経過していないと判定された場合（ステップＳ３：ＮＯ）、現時点において省電力モード移行信号に基づく省電力モードであるか否かが判定される（ステップＳ５）。ステップＳ５において、省電力モードではないと判定された場合（ステップＳ５：ＮＯ）、その後ルーチンは終了する。
【００９７】
ステップＳ５において、省電力モードであると判定された場合（ステップＳ５：ＹＥＳ）、すなわち省電力モード中に電源制御部２０９は、電源部２９に復帰信号を送信する（ステップＳ６）。これによって、電源部２９ひいては現金出納機１０を省電力モードから通常の電源供給を行う通常モードに移行され、その後ルーチンは終了する。
【００９８】
ステップＳ２において、現在の時刻が自動電源オフ設定時刻以降であると判定された場合（ステップＳ２：ＹＥＳ）、次に現在取引処理が行われているかが判定される（ステップＳ７）。例えば、取引中か否かの判定は、操作者による操作を受け付けた後、処理制御部２８の各取引部２０３−２０８において取引処理が終了する前か否かで判定される。
【００９９】
操作者による操作の受け付けとは、例えば、カードリーダ部２６にＩＣカードをかざす等の認証操作の受け付けまたは操作表示部２７への入力の受け付け等である。取引中であると判定された場合（ステップＳ７：ＹＥＳ）、その後ルーチンは終了する。
【０１００】
ステップＳ７において、取引中ではないと判定された場合（ステップＳ７：ＮＯ）、次に最後に行われた取引処理の終了の時刻から、操作者による操作を受け付けずに予め設定された第１の判定時間としての所定の待機時間、すなわち電源供給の停止までの待機時間（以下、供給停止待機時間という）が経過したか否か、すなわち待機状態であるか否かが判定される（ステップＳ８）。
【０１０１】
なお、当該供給停止待機時間は、操作表示部２７に表示されるメニュー画面を操作することで予め入力されていてもよい。また、供給停止待機時間は、工場出荷時にデフォルトの設定として既に入力されていてもよい。
【０１０２】
ステップＳ８において、最後に行われた取引処理の終了時刻から所定の供給停止待機時間が経過した、すなわち待機状態が終了したと判定された場合（ステップＳ８：ＹＥＳ）、次に、電源部２９に向けて電源遮断信号が送信され（ステップＳ９）、ルーチンが終了する。電源部２９はこの電源遮断信号を受信すると、現金出納機１０の処理部Ｐの各部への電源供給を停止する。
【０１０３】
なお、電源制御部２０９の電源遮断信号の送信に応じて締上げ取引部２０７が精算集計処理を行うこととしてもよい。この場合、例えば、電源部２９は、締上げ取引部２０７の精算集計処理の終了を待って、電源供給の停止を行う。また、電源部２９は、電源供給を停止した後であっても、現金出納機１０の処理部Ｐの各部に最低限必要な電力を供給することとしてもよい。
【０１０４】
ステップＳ８において最後に行われた取引処理の終了の時刻から所定の供給停止待機時間が経過していない、すなわち待機状態であると判定された場合（ステップＳ８：ＮＯ）、処理はステップＳ１０に進む。ステップＳ１０において、電源制御部２０９は、操作表示部２７に電源オフまでの時間、すなわち電源部２９に電源遮断信号を送信するまでの時間を表示させて操作者に告知する。換言すれば、電源制御部２０９は、操作者に電源遮断の予告を行う。
【０１０５】
ステップＳ１０においては、例えば、上述の実施例２において説明した図６に示すような画面表示を行うこととしてもよい。ステップＳ１０の終了後、ルーチンが終了する。
【０１０６】
上記変形実施例の現金出納機１０によれば、上記実施例１及び２と同様の効果を得ることができ、さらに、省電力モードを実行することにより現金出納機１０における電力消費量をさらに低減することが可能である。
【０１０７】
なお、上記変形実施例においては、実施例２の現金出納機１０と同様に電源オフまでの時間を告知することとしたが、ステップＳ１０を省き、実施例１と同様に電源オフまでの時間を告知しないこととしてもよい。
【０１０８】
また、上記変形実施例において、移行待機時間及び供給停止待機時間は同一の時間であっても異なった時間であってもよい。移行待機時間及び遮断待機時間が同一である場合、自動電源オフ時刻の後に省電力モードに移行するタイミングで自動電源オフが行われることとなる。
【０１０９】
また、上記実施例においては、電源オフまでの時間を操作表示部２７の画面表示によって告知する場合を例に説明したが、画面表示に加えてまたは画面表示に変えて、電源オフまでの時間を音声で告知することとしてもよい。
【０１１０】
また、上記実施例において、現金出納機１０の電源が自動でオンすることとしてもよい。具体的には、例えば、電源自動オン時刻が設定され、当該設定された自動電源自動オン時刻が到来すると、電源制御部２０９が電源部２９に電源供給開始信号を送信し、それに応じて電源部２９が現金出納機１０の処理部Ｐへの電源の供給を開始することとしてもよい。
【０１１１】
また、上記実施例においては、電源部が電源遮断信号を受信すると、処理部Ｐへの電源供給を停止することとしたが、電源制御部２０９以外の全ての部分への電源供給を停止することとしてもよい。
【０１１２】
また、上記実施例の現金出納機は、単体でオフラインで運用されてもよいし、ネットワークに接続されて、金融機関の管理システム等の上位サーバまたは他の機器と連携してオンラインで運用されてもよい。
【０１１３】
また、上記実施例では現金出納機を例として説明したが、上記構成及びルーチンは小売店やスーパーマーケット等の流通及び商業施設等に設置されるキャッシュレジスタ等、出金及び入金を行う様々な現金処理装置に適用可能である。
【０１１４】
上述した実施例における種々の構成、ルーチンは例示に過ぎず、用途等に応じて適宜選択及び変更可能である。
【符号の説明】
【０１１５】
１０      現金出納機
１１      紙幣等入出金口
１２      紙幣一時保留部
１３      万券カセット
１４      五千券カセット
１５      千券カセット
１６      精査カセット
１７      紙幣鑑別部
１８      リジェクト部
１９      硬貨投入口
２０      硬貨鑑別部
２１      硬貨一時保留部
２２      硬貨返却箱
２３      出金ホッパ
２４      硬貨回収箱
２５      硬貨出金箱
２６      カードリーダ部
２７      操作表示部
２８      処理制御部
２９      電源部
２０１    認証部
２０２    入出金記憶部
２０３    出金取引部
２０４    入金取引部
２０５    補充取引部
２０６    抜き取り取引部
２０７    締上げ取引部
２０８    回収取引部
２０９    電源制御部
Ｐ        処理部
【図１】
0006550948.tif 000002
【図２】
0006550948.tif 000003
【図３】
0006550948.tif 000004
【図４】
0006550948.tif 000005
【図５】
0006550948.tif 000006
【図６】
0006550948.tif 000007
【図７】
0006550948.tif 000008